(57)【要約】【課題】係止部材を上下動させるために装置の上方に必要とされる空間をより小さくして、小型の装置を提供することを目的とする。【解決手段】ハウジングと、前後方向の所定位置にてハウジングに上下動可能に設けられた係止部材と、上下方向の所定位置にてハウジングに前後動可能に設けられた操作部材を備える。操作部材は、前方の上方位置から後方の下方位置に向かって延びる第一係合部を有し、係止部材は、前方の上方位置から後方の下方位置に向かって延びる第二係合部を有する。操作部材を前方から後方に移動させることにより、係止部材を上方へと移動させて、ハウジングに配置された端子と係止部材の係止状態を解除できる。一方、操作部材を後方から前方に移動させることにより、係止部材を下方へと移動させて、ハウジングに配置された端子と係止部材を係止させることができる。【選択図】図１
2019040698.tif 000002
【特許請求の範囲】
【請求項１】
ハウジングと、
前後方向の所定位置にて前記ハウジングに上下動可能に設けられた係止部材と、
上下方向の所定位置にて前記ハウジングに前後動可能に設けられた操作部材と、
を備え、
前記操作部材は、前方の上方位置から後方の下方位置に向かって延びる第一係合部を有し、前記係止部材は、前方の上方位置から後方の下方位置に向かって延びる第二係合部を有し、
前記第一係合部と前記第二係合部を係合させた状態で前記操作部材を前方から後方に移動させることにより、前記係止部材を上方へと移動させ、且つ、前記第一係合部と前記第二係合部を係合させた状態で前記操作部材を後方から前方に移動させることにより、前記係止部材を下方へと移動させるようになっており、
前記係止部材を上方へ移動させたときに、前記ハウジングに配置された端子と前記係止部材の係止状態が解除され、
前記係止部材を下方へ移動させたときに、前記ハウジングに配置された端子と前記係止部材が係止されることを特徴とする端子着脱装置。
【請求項２】
前記操作部材の第一係合部は、左右方向にて突出した凸状部として、又は、左右方向にて窪んだ凹状部として形成され、
前記係止部材の第二係合部は、左右方向にて窪んだ凹状部として、又は、左右方向にて突出した凸状部として形成され、
前記第一係合部と前記第二係合部は、前記凸状部と前記凹状部を相補的に組み合わせることにより係合される、
請求項１に記載の端子着脱装置。
【請求項３】
前記係止部材は、前記第二係合部よりも前後方向において後方に、左右方向にて外方に突出した壁を有し、
前記壁の前側及び後側は、前後方向において、前記ハウジングによって挟み込まれている、
請求項２に記載の端子着脱装置。
【請求項４】
凸状部として形成された前記操作部材の第一係合部は、左右方向にて互いに接近する方向に突出した対の凸状部分から成り、
凹状部として形成された前記係止部材の第二係合部は、左右方向にて互いに接近する方向に窪んだ対の凹状部分から成り、
前記第一係合部と前記第二係合部は、前記対の凸状部分の間に前記対の凹状部分を挟み込んだ状態で組み合わされる、請求項２又は３に記載の端子着脱装置。
【請求項５】
前記対の凸状部分はそれぞれ、前後方向に沿って延びた対のアーム部のそれぞれの内面側に設けられている、請求項４に記載の端子着脱装置。
【請求項６】
前記ハウジングに、前記係止部材を下方に常時付勢する付勢手段が設けられている、請求項１乃至５のいずれかに記載の端子着脱装置。
【請求項７】
前記係止部材が上方に移動したとき、該係止部材は、少なくとも前記係止部材の天面の近傍に位置する前記ハウジングの天面よりも、上方に突出した状態とされる、
請求項１乃至６のいずれかに記載の端子着脱装置。
【請求項８】
前記操作部材が後方に移動したとき、前記操作部材の移動に伴って前記ハウジングの一部が露出する、請求項１乃至７のいずれかに記載の端子着脱装置。
【請求項９】
前記操作部材の移動に伴って露出する前記ハウジングの一部は、前記操作部材と異なる色を有する、請求項８に記載の端子着脱装置。
【請求項１０】
前記端子着脱装置が上下方向に複数段配列されており、前記複数段配列された前記端子着脱装置は前後方向において互いにずらされている、請求項１乃至９のいずれかに記載の端子着脱装置の集合体。
【請求項１１】
前記端子着脱装置が左右方向に複数配列されている、請求項１乃至１０のいずれかに記載の端子着脱装置の集合体。
【発明の詳細な説明】
【技術分野】
【０００１】
本発明は、端子着脱装置、及び、その集合体に関する。
【背景技術】
【０００２】
特許４０１８０５６号（特許文献１）に、端子着脱装置の一例が示されている。この端子着脱装置は、水平方向にてハウジングに挿入、配置された丸端子の穴に、上下方向にて、係止部材である螺子を螺合させることによって端子を取り付け、また、取り外すことができるようになっている。
【先行技術文献】
【特許文献】
【０００３】
【特許文献１】特許４０１８０５６号
【発明の概要】
【発明が解決しようとする課題】
【０００４】
上記端子着脱装置では、螺子を上下方向に移動させる際に、螺子に対して垂直に設置したドライバ等の工具を用いて、工具の上下動に合わせて、それと等しい移動距離だけ、螺子を上下動させるものとなっている。
明らかなように、この装置構成では、端子を取り付け、また、取り外すために、装置の上方に大きな作業空間を要することになるが、このような作業空間を確保することが困難、或いは、不可能な状況も多々生じている。
本願発明はこのような従来技術における問題点を解決するためになされたものであり、係止部材を上下動させるために装置の上方に必要とされる作業空間をより小さくして、小型の装置を提供することを目的とする。
【課題を解決するための手段】
【０００５】
上記の課題を解決するため、本発明の一態様による端子着脱装置は、ハウジングと、前後方向の所定位置にて前記ハウジングに上下動可能に設けられた係止部材と、上下方向の所定位置にて前記ハウジングに前後動可能に設けられた操作部材と、を備え、前記操作部材は、前方の上方位置から後方の下方位置に向かって延びる第一係合部を有し、前記係止部材は、前方の上方位置から後方の下方位置に向かって延びる第二係合部を有し、前記第一係合部と前記第二係合部を係合させた状態で前記操作部材を前方から後方に移動させることにより、前記係止部材を上方へと移動させ、且つ、前記第一係合部と前記第二係合部を係合させた状態で前記操作部材を後方から前方に移動させることにより、前記係止部材を下方へと移動させるようになっており、前記係止部材を上方へ移動させたときに、前記ハウジングに配置された端子と前記係止部材の係止状態が解除され、前記係止部材を下方へ移動させたときに、前記ハウジングに配置された端子と前記係止部材が係止されることを特徴として有する。
この態様の端子着脱装置によれば、第一係合部と第二係合部を前方の上方位置から後方の下方位置に向かって斜めに設けたことにより、また、操作部材を上下方向の所定位置にて移動させることにより、係止部材を上下動させるために装置の上方に必要とされる作業空間を小さくすることができ、この結果、装置の上下方向における寸法を小さくすることができる。
【０００６】
上記態様の端子着脱装置において、前記操作部材の第一係合部は、左右方向にて突出した凸状部として、又は、左右方向にて窪んだ凹状部として形成され、前記係止部材の第二係合部は、左右方向にて窪んだ凹状部として、又は、左右方向にて突出した凸状部として形成され、前記第一係合部と前記第二係合部は、前記凸状部と前記凹状部を相補的に組み合わせることにより係合されてもよい。
この態様の端子着脱装置によれば、第一係合部や第二係合部を凹凸状の相補形状としたことにより、第一係合部と第二係合部をより確実に組み合わせることができる。また、左右方向に凹凸を形成したことにより、上下方向にて、換言すれば、第一係合部及び第二係合部それぞれの上面同士及び下面同士を対面させ、当接させることができ、この結果、操作部材の前方から後方への移動、又は、後方から前方への移動のいずれか一方のみならず、前方から後方への移動、及び、後方から前方への移動の双方の動きに対応させて、係止部材を上下動させることができる。
【０００７】
また、上記態様の端子着脱装置において、前記係止部材は、前記第二係合部よりも前後方向において後方に、左右方向にて外方に突出した壁を有し、前記壁の前側及び後側は、前後方向において、前記ハウジングによって挟み込まれているのが好ましい。
この態様の端子着脱装置によれば、操作部材を操作した際に、前後方向にて係止部材に力が加わった場合でも、そのような力をハウジングとの衝突によって分散させることができる。
【０００８】
更に、上記態様の端子着脱装置において、凸状部として形成された前記操作部材の第一係合部は、左右方向にて互いに接近する方向に突出した対の凸状部分から成り、凹状部として形成された前記係止部材の第二係合部は、左右方向にて互いに接近する方向に窪んだ対の凹状部分から成り、前記第一係合部と前記第二係合部は、前記対の凸状部分の間に前記対の凹状部分を挟み込んだ状態で組み合わされてもよい。
この態様の端子着脱装置によれば、操作部材の対の凸状部分の間に、係止部材の対の凹状部分を挟み込む込む構成としたことにより、係止部材と操作部材とを、より確実に組み合わせることができる。
【０００９】
また、上記態様の端子着脱装置において、前記対の凸状部分はそれぞれ、前後方向に沿って延びた対のアーム部のそれぞれの内面側に設けられているのが好ましい。
この態様の端子着脱装置によれば、係合部分をアーム部によって支持することにより、係合部の強度を高めることができる。
【００１０】
また、上記態様の端子着脱装置において、前記ハウジングに、前記係止部材を下方に常時付勢する付勢手段が設けられているのが好ましい。
この態様の端子着脱装置によれば、係止部材を、常時、端子と係止させる方向に移動させることができる。
【００１１】
更に、上記態様の端子着脱装置において、前記係止部材が上方に移動したとき、該係止部材は、少なくとも前記係止部材の天面の近傍に位置する前記ハウジングの天面よりも、上方に突出した状態とされるのが好ましい。
係止部材をハウジングの天面から突出した状態、或いは、天面より引っ込んだ状態とすることにより、係止部材の位置についての視認性を向上させることができる。
【００１２】
更にまた、上記態様の端子着脱装置において、前記操作部材が後方に移動したとき、前記操作部材の移動に伴って前記ハウジングの一部が露出するようになっていてもよい。
ハウジングの一部を露出させることにより、操作部材の位置を容易に視認することができる。
この場合において、前記操作部材の移動に伴って露出する前記ハウジングの一部は、前記操作部材と異なる色を有しているのが好ましい。
異なる色とすることにより、視認性を向上させることができる。
【００１３】
また、上記態様の端子着脱装置において、前記端子着脱装置が上下方向に複数段配列されており、前記複数段配列された前記端子着脱装置は前後方向（β）において互いにずらされていてもよい。
この態様の端子着脱装置によれば、装置の上下方向の寸法を小さくしているため、端子着脱装置を上下方向において複数段設けることもできる。また、それらの段を前後方向に互いにずらすことにより、使い勝手を向上させることができる。
更に、上記態様の端子着脱装置において、前記端子着脱装置が左右方向に複数配列されていてもよい。
左右方向にも複数配列することにより、端子着脱装置の集合体をコンパクトにまとめることができる。
【発明の効果】
【００１４】
本願発明によれば、係止部材を上下動させるために装置の上方に必要とされる作業空間をより小さくして、小型の装置を提供することができる。
【図面の簡単な説明】
【００１５】
【図１】本発明による端子着脱装置の集合体の斜視図である。
【図２】集合体の平面図である。
【図３】図２のＡ−Ａ線断面図である。
【図４】図１に示した端子着脱装置から筐体を取り除いた斜視図である。
【図５】操作部材の斜視図である。
【図６】係止部材の斜視図である。
【図７】操作部材がハウジングの前後方向にて後方に位置する状態を示す図である。
【図８】操作部材がハウジングの前後方向にて前方に位置する状態を示す図である。
【図９】ハウジングの斜視図である。
【図１０】変形例による端子着脱装置な等を示す図であって、図１に対応する図である。
【図１１】変形例による端子着脱装置な等を示す図であって、図２に対応する図である。
【図１２】変形例による端子着脱装置な等を示す図であって、図３に対応する図である。
【発明を実施するための形態】
【００１６】
以下、添付図面を参照しつつ、本発明の好適な実施形態について説明する。説明の便宜のため好適な実施形態のみを示すが、勿論、これによって本発明を限定しようとするものではない。
【００１７】
図１に、本発明による端子着脱装置１の集合体２の斜視図を、端子着脱装置１に着脱可能なケーブル端子３とともに示し、更に、図２に、集合体２の平面図を、図３に、図２のＡ−Ａ線断面図を、それぞれ示す。
【００１８】
各端子着脱装置１には、１つのケーブル端子３を取付けることができる。ここでは、ケーブル端子３として、中心に穴３ａを有した丸端子３Ａを使用する。この丸端子３Ａは、電気ケーブル３Ｂの先端に取り付けた状態で使用される。尚、端子は、端子着脱装置１への取り付けに適したものであれば足り、丸端子に限定されるものではない。
【００１９】
集合体２は、複数の端子着脱装置１Ａ乃至１Ｄを含む。集合体２に含まれる個々の端子着脱装置１Ａ乃至１Ｄの構成は、全て、実質的に同じ構造を有する。個々の端子着脱装置１は、主に、ハウジング３０と、上下方向（図示矢印「α」方向）の所定位置にてハウジング３０に前後動可能に設けられた操作部材４０と、前後方向（図示矢印「β」方向）の所定位置にてハウジング３０に上下動可能に設けられた係止部材６０を含む。図１の例では、端子着脱装置１を、上下方向「α」に複数、ここでは２段配列し、且つ、左右方向（図示矢印「γ」方向）に複数、ここでは２列配列したもの、従って、計４個の端子着脱装置１を含む集合体２を示している。勿論、配列することができる端子着脱装置１の数は、これに限定されるものではない。このように複数の端子着脱装置１をまとめて、例えば、筐体２５に配置された集合体２として構成することにより、複数の端子着脱装置１をコンパクトにまとめることができる。筐体２５は、底壁２５ａ、側壁２５ｂ、後壁２５ｃを有し、複数の端子着脱措置１を包括的に包囲する。参考に、図４に、図１に示した端子着脱装置１から筐体２５を取り除いた斜視図を示す。
【００２０】
端子着脱装置１には、電気ケーブル３Ｂの先端に取り付けた丸端子３Ａが挿入される端子挿入口３４が設けられている。図３、図４によく示されているように、端子挿入口３４は、端子着脱装置１のハウジング３０と、筐体２５に固定された導電部材から成るバスバー２３を利用して形成されている。バスバー２３を固定するため、筐体２５内には、設けた複数の仕切り２１ａ、２１ｂ、２１ｃが設けられている。端子の挿入を容易にするため、ハウジング３０に、端子案内用のテーパー３４ａを設けるのが好ましい。端子挿入口３４の一部を、バスバー２３を利用して形成することにより、端子挿入口３４を通じて挿入した丸端子３Ａを、バスバー２３に物理的に且つ電気的に容易に接触させることができる。バスバー２３は、側面視略Ｌ字状の板状体として形成されており、垂直部２３ａと水平部２３ｂを含み、更に、水平部２３ｂと連結された比較的薄い板状部２３ｃを含む。板状部２３ｃとバスバー２３の間には、端子挿入口３４と連通させた状態で、端子が配置される端子配置部３５が設けられている。端子配置部３５の上部に位置する板状部２３ｃには、係止部材６０が挿通される挿入孔２４ｅを形成する筒状部２４ｄが設けてある。係止部材６０は、筒状部２４ｄによって案内されつつ、端子配置部３５に対して上下動し得る。
【００２１】
各端子着脱装置１に対する丸端子３Ａの取り付け作業を容易にするため、上段の端子着脱装置１Ａ、１Ｃと下段の端子着脱装置１Ｂ、１Ｄは、前後方向（図示矢印「β」方向）にて互いにずらして配置されている。一方、左右方向「γ」に並んだ端子着脱装置１Ａ、１Ｃ、又は、端子着脱装置１Ｂ、１Ｄは、それぞれ、上下方向「α」にて同じ高さに位置付けられている。このような構成とすることにより、装置の使い勝手を向上させ、また、丸端子３Ａの取り付けを容易にすることができる。
【００２２】
図５に、操作部材４０の斜視図を示す。図５の（ａ）は、操作部材４０の上方斜視図、図５の（ｂ）は、その下方斜視図である。
操作部材４０は、主に、略矩形の本体４１と、本体４１の側面４１ａから左右方向「γ」にて互いに離間するように外方に突出した対の水平翼４２Ａ、４２Ｂと、本体４１の前側にて前後方向「β」に沿って延びた対のアーム部４４Ａ、４４Ｂを含む。
本体４１の上面は、操作部材４０の操作時に操作者の指が触れる部分となるため、滑り止め防止用の溝４１ａを設けておくのが好ましい。
【００２３】
水平翼４２Ａ、４２Ｂをハウジング３０の所定部分に組み付けることにより、操作部材４０は、ハウジング３０に対して前後方向「β」にて移動可能な状態で組み付けられる。操作部材４０は、ハウジング３０に対して前後方向「β」に移動するだけで、上下方向「α」には移動しない。即ち、操作部材４０は、上下方向「α」では、ハウジング３０の所定位置に維持される。このように、操作部材４０を上下方向「α」の所定位置に維持することにより、係止部材６０を上下動させるために装置の上方に必要とされる空間を小さくすることができ、この結果、装置の上下方向における寸法を小さくすることができる。
【００２４】
対のアーム部４４Ａ、４４Ｂそれぞれの内面４４ａに、左右方向「γ」にて互いに接近するよう互いに内方に向かって突出した板状の凸状部分４５Ａ、４５Ｂが、１つずつ対で設けられている。凸状部分４５Ａ、４５Ｂは、アーム部４４Ａ、４４Ｂによって支持することにより、その強度が強化されている。各凸状部分４５Ａ、４５Ｂは、ハウジング３０における前方の上方位置から後方の下方位置に向かって延びており、操作部材４０を前後動「β」させたときに、係止部材６０の所定部分との係合を通じて、係止部材６０を上下動させる係合部（第一係合部）として機能する。
【００２５】
図６に、係止部材６０の斜視図を示す。図６の（ａ）は、係止部材６０の上方斜視図、図６の（ｂ）は、その下方斜視図である。
係止部材６０は、主に、略直方形状の本体６１と、本体６１の底側の一部に水平方向（β−γ）に拡がる底板６６と、本体６１よりも前後方向「β」において後方に、且つ、本体６１よりも左右方向「γ」において外方に突出した状態で、底板６６に対して垂設された壁６７と、本体６１の底板６６の更に下方に延びる略円柱状の係止部７０を含む。
【００２６】
係止部材６０は、ハウジング３０の所定部分に、上下方向「α」にて移動可能な状態で嵌入される。ハウジング３０に嵌入された係止部材６０は、ハウジング３０に対して上下方向「α」に移動するだけで、前後方向「β」には移動しない。即ち、係止部材６０は、前後方向「α」においては、所定位置に維持される。
【００２７】
底板６６は、係止部材６０がハウジング３０に対して上下動した際に、ハウジング３０の所定部分と衝突することにより、係止部材６０がハウジング３０から上方へと引き抜かれてしまうことを防止する。
【００２８】
本体６１の左右の側壁６４Ａ、６４Ｂに、それぞれ、左右方向「γ」にて互いに接近する方向に窪んだ対の凹状部分６５Ａ、６５Ｂが設けられている。各凹状部分６５Ａ、６５Ｂは、凸状部分４５Ａ、４５Ｂに対応して、前方の上方位置から後方の下方位置に向かって延びており、操作部材４０の凸状部分４５Ａ、４５Ｂのそれぞれと、相補的に組み合わされることによって互いに係合されるようになっている。これら凹状部分６５Ａ、６５Ｂは、操作部材４０を前後動「β」させたときに、操作部材４０の所定部分、即ち、凸状部分４５Ａ、４５Ｂ等の第一係合部４５との係合を通じて、係止部材６０を上下動させる係合部（第二係合部）として機能する。このように、凸状部分４５Ａ、４５Ｂや凹状部分６５Ａ、６５Ｂを、ハウジング３０における前方の上方位置から後方の下方位置に向かって斜めに設けたことにより、係止部材６０を上下動させるために装置の上方に必要とされる空間を小さくすることができ、この結果、装置の上下方向における寸法を小さくすることができる。
【００２９】
図７、図８に、操作部材４０と係止部材６０を組み合わせた状態を斜視図で示す。図７は、操作部材４０がハウジング３０の前後方向「β」にて前方に位置する状態、換言すれば、操作部材４０を、後方から前方へと「β２」方向に移動させた状態を、一方、図８は、操作部材４０がハウジング３０の前後方向「β」にて後方に位置する状態、換言すれば、操作部材４０を、前方から後方へと「β１」方向に移動させた状態を、それぞれ示す。
【００３０】
操作部材４０と係止部材６０をハウジング３０に取り付けたとき、係止部材６０の対の凹状部分６５Ａ、６５Ｂは、操作部材４０の対の凸状部分４５Ａ、４５Ｂの間に挟み込まれた状態で組み合わされ係合される。このような構成とすることにより、係止部材６０と操作部材４０とを、より確実に組み合わせることができる。
【００３１】
操作部材４０の対の凸状部分４５Ａ、４５Ｂと、係止部材６０の対の凹状部分６５Ａ、６５Ｂは、それぞれ、左右方向「γ」に形成されていることから、それらが相補関係で組み合わされたとき、上下方向「α」にて、換言すれば、操作部材４０の凸状部分４５Ａ、４５Ｂそれぞれの上面４５ａと、係止部材６０の凹状部分６５Ａ、６５Ｂそれぞれの上面６５ａとが、対面し且つ当接することになるとともに、操作部材４０の凸状部分４５Ａ、４５Ｂそれぞれの下面４５ｂと、係止部材６０の凹状部分６５Ａ、６５Ｂそれぞれの下面６５ｂとが、対面し且つ当接することになる。この結果、操作部材４０の前方から後方への「β１」方向における移動、又は、後方から前方への「β２」方向への移動のいずれか一方のみならず、前方から後方への移動、及び、後方から前方への移動の双方の動きに対応させて、係止部材６０を上下方向「α」に移動させることができる。
【００３２】
図７に示すように、操作部材４０が後方から前方に「β２」方向に移動した場合、係止部材６０の凹状部分６５Ａ、６５Ｂと、操作部材４０の凸状部分４５Ａ、４５Ｂの係合を通じて、係止部材６０は下方に、つまり、「α１」方向へと移動する。図１、図３、図４に示した端子着脱装置１Ａ、１Ｂ、１Ｄは、この図７に対応する状態を示している。
この場合、特に、図３に示した端子着脱装置１Ｄの状態から明らかなように、ハウジング３０の端子配置部３５に配置された端子（３Ａ）の穴（３a）（図示されていない）に、係止部材６０の係止部７０が嵌る。この結果、端子（３Ａ）は、係止部材６０によって係止される。
【００３３】
一方、図８に示すように、操作部材４０が前方から後方に「β１」方向に移動した場合、係止部材６０の凹状部分６５Ａ、６５Ｂと、操作部材４０の凸状部分４５Ａ、４５Ｂの係合を通じて、係止部材６０は上方に、つまり、「α２」方向へと移動する。図１、図３、図４に示した端子着脱装置１Ｃは、この図８に対応する状態を示している。
【００３４】
この場合、特に、図３に示した端子着脱装置１Ｃの状態から明らかなように、ハウジング３０の端子配置部３５に配置された端子（３Ａ）の穴（３a）（図示されていない）から、係止部材６０の係止部７０が抜き取られ、この結果、係止部材６０による係止状態は解除される。従って、端子を、端子着脱装置１から取り外すことができる。
【００３５】
また、図１や図４に示した端子着脱装置１Ｃから明らかなように、操作部材４０が後方に移動したとき、操作部材４０の移動に伴ってハウジング３０の一部３３ａが露出する。この結果、ハウジング３０の一部３３ａが露出し、操作部材４０の位置、更に言えば、係止部材６０の係止状態を容易に視認することが可能となる。この場合、特に、一部３３ａを、操作部材４０とは、異なる色に設定しておくことにより、視認性を容易に向上させることができる。
【００３６】
また、図１、図３に示した端子着脱装置１Ｃの状態から明らかなように、操作部材４０が後方に移動したとき、係止部材６０は上方「α２」に移動し、係止部材６０は、少なくとも係止部材６０の天面６１ａの近傍に位置するハウジング３０の天面３１ａよりも、上方「α２」に突出した状態となる。このとき、係止部材６０の側面６４は、ハウジング３０から露出することになるため、例えば、この側面６４を、ハウジング３０とは、異なる色としておくことにより、係止部材６０の位置についての視認性を向上させることができる。
【００３７】
本体６１には、例えば、板バネ８０（図３参照）のような付勢手段を設けるのが好ましい。板バネ８０を固定するため、本体６１の中間位置に、左右方向「γ」に沿って貫通孔６１ｂが設けられている。板バネ８０の働きにより、係止部材６０は、常時下方へと「α１」方向に常時付勢された状態とされ、また、この結果、操作部材４０は、後方から前方へと「β２」方向に常時付勢される。
【００３８】
例えば、端子着脱装置から端子（５Ａ）を取り外す場合、板バネ８０による付勢力に抗して、操作部材４０を前方から後方へと「β１」方向に押しやって、これにより、係止部材６０を上方へと「α２」方向へ押し上げて、端子（３Ａ）の穴（３a）から、係止部材６０の係止部７０を抜き取り、係止部材６０による係止状態を解除することができる。また、その後、操作部材４０に力を加えるのを止めた場合には、板バネ８０の付勢力により、操作部材４０は後方から前方へと「β２」方向に自動的に復帰し、これにより、係止部材６０の係止部７０は、下方へと「α１」方向へ自動的に復帰する。
【００３９】
図９に、ハウジング３０の斜視図を示す。図９の（ａ）は、ハウジング３０の上方斜視図、図９の（ｂ）は、その下方斜視図である。
【００４０】
ハウジング３０は、全体として扁平な略直方形状を有する。ハウジング３０は、ここでは左右方向「γ」に長く形成されており、１個のハウジング３０によって、２個の丸端子（３Ａ）を固定することができるようになっている。但し、これに限らず、１個のハウジングによって１個の丸端子を接続する長さに設定することもできるし、１個のハウジングによって３個以上の丸端子を接続する長さに設定することもできる。ハウジング３０の左右方向「γ」方向における側面３１には、ハウジング３０を筐体２５に取り付けるための係止突起３１ｂが設けられており、これらの係止突起３１ｂに対応して、筐体２５の側壁２５ｂには、係止穴２７（図１等参照）が設けられている。
【００４１】
ハウジング３０の前側に、操作部材４０が載置される載置面３３が設けられている。操作部材４０は、この載置面３３の上に、前後方向「β」にスライド移動可能な状態で取り付けられる。載置面３３の左右方向「γ」における両側には、操作部材４０の水平翼４２が組み付けられるスライド空間３２が設けられている。水平翼４２の先端４２ａ（図５等参照）は、このスライド空間３２への組み付けを可能にするため、角が切り取られている。
【００４２】
ハウジング３０の後側に、係止部材６０が嵌入される嵌入空間３７が設けられている。嵌入空間３７の上面視の形状は、係止部材６０の上面視の形状と相補関係を成し、特に、係止部材６０の壁６７は、前後方向「β」において、更に詳細には、その前側６７ａ及び後側６７ａにおいて、嵌入空間３７の一部を構成する前壁３７a及び後壁３７ｂによって挟み込まれる構造となっている。このような構成とすることにより、操作部材４０を操作した際に、前後方向「β」において、係止部材「６０」に力が加わった場合でも、この力をハウジング３０との衝突によって分散させることができる。嵌入空間３７の底側には、係止部材６０の底板６６と衝突することによって、係止部材６０がハウジング３０から上方へと引き抜かれてしまうことを防止する衝突面３６が形成されている。
【００４３】
図１０乃至１２に、変形例による端子着脱装置５と、端子着脱装置５の集合体６を示す。これらの図１０乃至１２は、上で説明した実施形態の図１乃至３にそれぞれ対応する。図１０乃至１２において、図１等に示した実施形態と同様の部材には、同様の参照番号を付している。
【００４４】
この変形例は、付勢手段を板バネではなく、巻バネ８１としたものである。巻バネ８１を取り付けるため、係止部材６０Ａには、上下方向「α」に沿って有底の筒部７２が設けられている。筒部７２からの巻バネ８１の抜け防止のため、蓋３８が設けられている。蓋３８の内壁には、筒部７２に挿入された巻バネ８１を安定させるため、支柱３８ａが設けられている。
【００４５】
以上の説明は、好ましい実施形態に関するものであり、物品及びそれを製造する方法を単に代表するものであることを理解すべきである。異なる実施形態の変形及び修正が上述の教示に照らして当業者に容易に明らかになることを認めることができる。
例えば、上の実施形態では、操作部材４０に凸状部を、係止部材６０に凹状部を、それぞれ設けることとしていたが、これとは逆に、操作部材４０に凹状部を、係止部材６０に凸状部を設けるようにしてもよい。従って、例示的実施形態並びに代替的な実施形態は、添付の特許請求の範囲で説明する物品及び方法の精神から逸脱することなく行うことができる。
【符号の説明】
【００４６】
１  端子着脱装置
２  集合体
３Ａ  端子
３０  ハウジング
３１ａ  天面
３３ａ  露出部
４０  操作部材
４４Ａ、４４Ｂ  アーム部
４５  第一係合部
４５Ａ、４５Ｂ  凸状部分
６０  係止部材
６１ａ  天面
６５  第二係合部
６５Ａ、６５Ｂ  凹状部分
６７  壁
８０  付勢手段
【図１】
2019040698.tif 000003
【図２】
2019040698.tif 000004
【図３】
2019040698.tif 000005
【図４】
2019040698.tif 000006
【図５】
2019040698.tif 000007
【図６】
2019040698.tif 000008
【図７】
2019040698.tif 000009
【図８】
2019040698.tif 000010
【図９】
2019040698.tif 000011
【図１０】
2019040698.tif 000012
【図１１】
2019040698.tif 000013
【図１２】
2019040698.tif 000014